(57)【要約】【課題】本発明の課題は、道路工事や建設工事現場等に設置され、工事内容の案内や交通案内等を表示するために使用される立看板において、該立看板に自然景観との調和性を与える立看板用フレームを提供することにある。【解決手段】間伐材を材料として、上枠と、下枠と、左側枠と、右側枠とからなる立看板用フレーム１を製造する。該立看板用フレーム１において、上枠２と下枠３および左側枠４と右側枠５はそれぞれ対向して配置され、上枠２は左側枠４および右側枠５の上部で接続し、下枠３は左側枠４および該右側枠５の下部で接続する。該上枠２は立看板７の上端部を嵌合するための嵌合凹部１２を有し、該左側枠４および該右側枠５は立看板７の側端部１１を嵌め込むための嵌込溝１４、１５を有する。該下枠３は立看板７を固定するための固定手段６、６を有する。【選択図】    図８
2006091107.tif 000002
【特許請求の範囲】
【請求項１】
上枠と、下枠と、左側枠と、右側枠とからなる立看板用フレームにおいて、該上枠と下枠および該左側枠と右側枠はそれぞれ対向して配置され、該上枠は該左側枠および該右側枠の上部で接続し、該下枠は該左側枠および該右側枠の下部で接続し、該上枠は立看板の上端部を嵌合するための嵌合凹部を有し、該左側枠および該右側枠は立看板の側端部を嵌め込むための嵌込溝を有し、該下枠は立看板を固定するための固定手段を有することを特徴とする立看板用フレーム。
【請求項２】
該上枠、下枠、左側枠および右側枠は、間伐材からなる請求項１に記載の立看板用フレーム。
【発明の詳細な説明】
【技術分野】
【０００１】
本発明は、道路工事や建設工事現場等に設置され、工事内容の案内や交通案内等を表示するための立看板に使用されるフレームに関するものである。
【背景技術】
【０００２】
従来より、道路工事や建設工事現場等に工事内容の案内や交通案内等のための立看板は、歩道や道路等に設置して利用されている。
既存の立看板は、耐候性等の観点から金属やプラスチック等を材料として製造されている（例えば、特許文献１参照）。
【０００３】
【特許文献１】特開平７−３１９３９３号公報
【発明の開示】
【発明が解決しようとする課題】
【０００４】
従来から使用されている立看板は、耐候性、軽量性等の機能を重視して設計されてはいるものの、周囲の自然景観と調和させることは殆んど考慮されていない。従来の立看板の殆んどは自然景観と調和せず、景観汚染の原因となり問題となっている。
また近年、間伐材を有効活用することが問題とされている。間伐材は、一般に、細径であり建具等の材料として不適であり、その用途の開発が求められている。
【課題を解決するための手段】
【０００５】
本発明は、上記課題を解決するための手段として、上枠２と、下枠３と、左側枠４と、右側枠５とからなる立看板用フレーム１において、該上枠２と下枠３および該左側枠４と右側枠５はそれぞれ対向して配置され、該上枠２は該左側枠４および該右側枠５の上部で接続し、該下枠３は該左側枠４および該右側枠５の下部で接続し、該上枠２は立看板７の上端部１０を嵌合するための嵌合凹部１２を有し、該左側枠４および該右側枠５は立看板７の側端部１１、１１を嵌め込むための嵌込溝１４、１５を有し、該下枠３は立看板７を固定するための固定手段６、６を有する立看板用フレーム１を提供する。
上記立看板用フレーム１の上枠２、下枠３、左側枠４および右側枠５は、間伐材からなることが望ましい。
【発明の効果】
【０００６】
本発明の立看板用フレームを使用すれば、既存の立看板を自然景観に調和させることができる。
また本発明の立看板用フレームを間伐材から製造すれば、間伐材の有効活用にも繋がる。
【発明を実施するための最良の形態】
【０００７】
以下、本発明の一実施形態を図面に基づいて詳細に説明する。
図１に示されるのは、本発明の立看板用フレーム１の正面図（図１のＡ）および背面図（図１のＢ）である。
本発明の立看板用フレーム１は、上枠２、下枠３、左側枠４および右側枠５からなる。上枠２と下枠３、および左側枠４と右側枠５はそれぞれ対向して配置され、上枠２は左側枠４および右側枠５の上部で接続し、下枠３は左側枠４および右側枠５の下部で接続している。
なお上枠２と左側枠４、右側枠５との接続、および下枠３と左側枠４、右側枠５との接続は、公知の木材同士の接続方法を適用することができる。該接続の際に、ボルト等の公知の接続手段を使用してもよい。
上枠２には、立看板７の上端部１０と嵌合するための嵌合凹部１２が設けられている。また左側枠４および右側枠５には、立看板７の側端部１１、１１を嵌め込むための嵌込溝１４、１５が設けられている。
また下枠３の背面側には、立看板７を固定するための固定手段６が設けられている。該固定手段６、６にはスライド式ストッパー１６、１６が備えられている（図３参照）。
【０００８】
本発明の立看板用フレーム１は、杉、檜等の天然木材を材料とする。本発明の立看板用フレーム１は、天然木材に由来する風合の概観を有する。
本発明において、特に、立看板用フレーム１は間伐材を利用して製造されることが望ましい。間伐材は、一般に、細径であり建具等の材料としては不適であるが、本発明の立看板用フレーム１の材料としては充分使用することが出来る。
間伐材を所望の長さ、および形状に整形して、本発明の上枠２、下枠３、左側枠４、右側枠５を製造することが出来る。
【０００９】
本発明の立看板用フレーム１に、立看板７を取り付ける方法を以下、説明する。図３に示されるように、立看板７は立看板用フレーム１の背面から取り付ける。まず本発明の立看板用フレーム１は、背面を上にして配置される。次に、立看板用フレーム１の上枠２の嵌合凹部１２に、立看板７の上端部１０を挿入し、嵌合しながら、立看板７の側端部１１を、左側枠４および右側枠５の嵌込溝１４、１５に嵌め込む（図４参照）。
次に、立看板７の可動式の支持脚９、９を持ち上げ、固定手段６、６のストッパー１６、１６をスライドさせて、ストッパーを立看板７の固定式の支持脚８、８の上方に配置して、立看板７を固定する（図５参照）。
立看板７を固定手段６、６で固定後、持ち上げていた支持脚８、８を下ろして、立看板７の立看板用フレーム１への取り付けが完了する（図６参照）。
本発明の立看板用フレーム１に取り付けられた立看板７は、その上端部１２が上枠の嵌合凹部に嵌合し、かつ立看板の固定式の支持脚が固定手段によって固定されているので、使用時、運搬時に立看板用フレームから立看板が外れることがない。
なお参考として、図６の破線矢印の方向からみた立看板用フレームを取り付けた手看板の底面図を図７に示す。
上記立看板用フレーム１から立看板７を取り外す場合は、上記手順の逆の手順に従って、容易に取り外すことができる。
【００１０】
上記のようにして本発明の立看板用フレーム１を取り付けた立看板７は、道路工事や建設工事現場等に設置される。
本発明の立看板用フレーム１を伴った立看板７を、特に林野、河岸等の現場で使用する場合、周囲の自然景観とよく調和する。
また本発明の立看板用フレーム１は、同一のサイズの立看板同士であれば自由に取り付けることができる。
【００１１】
本発明の立看板用フレームは、取り付けられる立看板の大きさに合わせて、適宜設計されるものである。
例えば、他の実施形態として、上記実施形態で示された立看板７と異なるサイズの立看板２７のための立看板用フレーム２１を説明する。
図９に示されるように、該立看板用フレーム２１の構成は、上記実施形態と同様に、上枠２２、下枠２３、左側枠２４、右側枠２５からなる。該下枠２３の背面には固定手段が取り付けられており（図示せず）、該立看板が該立看板用フレームから外れないように固定されている。
【００１２】
本発明の立看板用フレーム１の概観は、天然木材の色彩がそのまま利用され、自然景観との調和が図られているが、所望により該フレームに塗装を全面的または部分的に施しても良い。
なお本発明の立看板用フレーム１に、防腐剤、防虫剤、撥水剤、撥油剤等の公知の木材処理を施しても良い。
【００１３】
本発明の立看板用フレーム１は、間伐材を材料として製造出来るので、本発明によって間伐材の有効活用を図ることも出来る。
また本発明の立看板用フレーム１は、既存の立看板に適用することが出来るので、既存の立看板を有効活用することができる。
【産業上の利用可能性】
【００１４】
本発明の立看板用フレームは、道路工事や建設工事現場等に設置され、工事内容の案内や交通案内等を表示するための立看板のフレームとして使用することができる。
とくに、自然景観との調和がのぞまれる林野、河岸等の工事現場において利用することができる。
【図面の簡単な説明】
【００１５】
【図１】立看板用フレームの正面図および背面図を示す。
【図２】立看板用フレームを背面から見た斜視図を示す。
【図３】立看板用フレームの上枠の嵌合凹部に、立看板の先端部を挿入する状態の説明図  を示す。
【図４】立看板用フレームに立看板を嵌め込んだ状態の説明図を示す。
【図５】立看板の支持脚を固定手段で固定した状態の説明図を示す。
【図６】立看板用フレームに立看板を取り付けた状態の説明図を示す、
【図７】立看板に取り付けられた立看板用フレームを、図６中の矢印（破線）の方向から  見た状態の説明図（底面図）をしめす。
【図８】立看板用フレームに取り付けられた立看板の斜視図を示す。
【図９】他の立看板用フレームに取り付けられた他の立看板の斜視図を示す。
【符号の説明】
【００１６】
1   立看板用フレーム
2   上枠
3   下枠
4   左側枠
5   右側枠
6   固定手段
7   立看板
8   立看板の固定式の支持脚
9   立看板の可動式の支持脚
10    立看板の上端部
11    立看板の側端部
12    嵌合凹部
14,15   嵌込溝
16    ストッパー
21    立看板用フレーム
22  上枠
23  下枠
24  左側枠
25  右側枠
27  立看板
【図１】
2006091107.tif 000003
【図２】
2006091107.tif 000004
【図３】
2006091107.tif 000005
【図４】
2006091107.tif 000006
【図５】
2006091107.tif 000007
【図６】
2006091107.tif 000008
【図７】
2006091107.tif 000009
【図８】
2006091107.tif 000010
【図９】
2006091107.tif 000011